(57)【要約】【課題】  乾燥した状態及び濡れた状態で滑り止め効果を発揮でき、手で握った際のフィット感に優れたゴルフクラブ用グリップ及びそれを備えたゴルフパターを提供すること。【解決手段】  本発明は、グリップ本体１に被された表面材２の表面に部分的に存在する滑り止め材３を備え、当該滑り止め材３は、前記グリップ本体１を握った際に親指が当たる上側の親指が当たる部分には存在せず、前記グリップ本体１の側面部及び下側の部分にて、多数点在するものであり、前記グリップ本体１の側面部においては、指が前記滑り止め材３と前記表面材２の両者に同時に触れる隙間部分４が生じるようにされており、当該隙間部分４は、前記グリップ本体１の側面部において、当該グリップ本体１の長手方向と一致しない斜め方向を向き、かつ、当該グリップ本体１において左右対称となるゴルフクラブ用グリップＧ及びそれを備えたゴルフパターＰである。【選択図】図１
2019097909.tif 000002
【特許請求の範囲】
【請求項１】
ゴムなどの弾性材料からなる棒状のグリップ本体の表面に被された吸水素材からなる表面材と、
当該表面材の表面に部分的に存在するように固定された滑り止め材と、
を備えたゴルフクラブ用グリップであって、
前記グリップ本体は、グリップエンド側の断面が大きく先端側に向けて断面が小さくなる形状を有しており、
前記滑り止め材は、前記グリップ本体を握った際に親指が当たる上側の親指が当たる部分には存在せず、前記グリップ本体の側面部及び下側の部分にて、ドーム状又は半球面状に形成されて多数点在するものであり、
前記グリップ本体の側面部においては、点在する前記滑り止め材の間隔が、前記グリップ本体を握った際に、指が前記滑り止め材と前記表面材の両者に同時に触れる隙間部分が生じるように設定されており、
さらに、前記隙間部分は、前記グリップ本体の側面部において、当該グリップ本体の長手方向と一致しない斜め方向を向くように配置されており、かつ、当該配置は当該グリップ本体において左右対称となるものであることを特徴とするゴルフクラブ用グリップ。
【請求項２】
前記隙間部分は、前記グリップ本体の側面部において、当該グリップ本体の上側ほど当該グリップ本体の先端側を向く斜め方向に配置されていることを特徴とする請求項１に記載のゴルフクラブ用グリップ。
【請求項３】
前記グリップ本体の下側の部分においては、点在する前記滑り止め材の間隔が、前記グリップ本体を握った際に、指が前記表面材と触れることが無いように密集していることを特徴とする請求項１又は２に記載のゴルフクラブ用グリップ。
【請求項４】
ゴムなどの弾性材料からなる棒状のグリップ本体の表面に被された吸水素材からなる表面材と、
当該表面材の表面に部分的に存在するように固定された滑り止め材と、
を備えたゴルフクラブ用グリップであって、
前記グリップ本体は、グリップエンド側の断面が大きく先端側に向けて断面が小さくなる形状を有しており、
前記滑り止め材は、前記グリップ本体を握った際に親指が当たる上側の親指が当たる部分には存在せず、前記グリップ本体の側面部及び下側の部分にて、線状、網目状、格子状又は点状に形成されて存在するものであり、
前記グリップ本体の側面部においては、前記滑り止め材の間隔が、前記グリップ本体を握った際に、指が前記滑り止め材と前記表面材の両者に同時に触れる隙間部分が生じるように設定されており、
さらに、前記隙間部分は、前記グリップ本体の側面部において、当該グリップ本体の長手方向と一致しない斜め方向を向くように配置されており、かつ、当該配置は当該グリップ本体において左右対称となるものであることを特徴とするゴルフクラブ用グリップ。
【請求項５】
前記滑り止め材は、透明なシリコン製であり、その厚さは約１ｍｍ程度であることを特徴とする請求項１ないし４の何れか一項に記載のゴルフクラブ用グリップ。
【請求項６】
前記隙間部分が配置される方向は、前記グリップ本体の側面部において、当該グリップ本体の長手方向と為す角度が４０度〜８０度の範囲内となるように設定されていることを特徴とする請求項１ないし５の何れか一項に記載のゴルフクラブ用グリップ。
【請求項７】
前記滑り止め材は、楕円ドーム状に形成されて同一方向を向くように点在するものであることを特徴とする請求項１ないし３の何れか一項に記載のゴルフクラブ用グリップ。
【請求項８】
前記請求項１〜７の何れか一項に記載のゴルフクラブ用グリップを備えたことを特徴とするゴルフパター。
【発明の詳細な説明】
【技術分野】
【０００１】
本発明は、ゴルフクラブ用グリップ及びそれを備えたゴルフパターに関するものであって、乾燥した状態のみならず、濡れた状態であっても滑り止め効果を発揮でき、かつ、手で握った際のフィット感に優れたゴルフクラブ用グリップ及びそれを備えたゴルフパターに関するものである。
【背景技術】
【０００２】
従来のゴルフクラブ用グリップは、グリップ本体を構成する樹脂として一般的なＥＶＡ及びゴムが吸水性を有していないため、水や汗で濡れると滑り易くなる。
そこで、滑り止め効果を発揮するために、ゴムなどの弾性材料からなるグリップ表面に凹凸や溝を形成したり（特許文献１〜３）、表面に汗を吸収するシート状の素材を貼り付けることが為されている。
しかしながら、グリップ表面に凹凸や溝を形成するには複雑でコストの高い成形型が必要になるという問題や、手で握った際のフィット感が低下するという問題や、表面に細かい模様やカラー印刷を綺麗に施すことができないという外観デザイン上の制約が生じる。
【０００３】
また、汗を吸収するシート状の素材は、表面に模様や文字を綺麗に印刷できるという特徴があるが、表面が乾燥していると却って滑り易い場合がある。
そこで、そのような欠点を解消するために、シリコン製の小さな滑り止め突起をグリップ表面に多数点在させ、グリップ表面をシリコン製の突起にて覆うようにすることが提案されている。
このようなシリコン製の滑り止めは、乾燥している場合には手と密着する効果を有するものの、汗や雨などで濡れると、却って滑り易くなるという問題がある。
【０００４】
また、特に感覚が鋭い親指部分に凹凸や滑り止め突起が配置されていると、スイングに集中できない場合があるという問題があり、そのような問題は、繊細な力加減を要し、指先に神経を集中させるゴルフパター（パター用ゴルフクラブ）において、顕著である。
【先行技術文献】
【特許文献】
【０００５】
【特許文献１】実開昭５８−１４５６６５号公報
【特許文献２】特許第６１４０９５９号公報
【特許文献３】意匠登録第１５８０９９３号公報
【発明の概要】
【発明が解決しようとする課題】
【０００６】
そこで、本発明が解決しようとする課題は、従来のゴルフクラブ用グリップにおける上記の問題を解決し、乾燥した状態のみならず、濡れた状態であっても滑り止め効果を発揮でき、かつ、手で握った際のフィット感に優れたゴルフクラブ用グリップ及びそれを備えたゴルフパターを提供することにある。
【０００７】
本発明が解決しようとする課題は、外観デザイン上においても優れたゴルフクラブ用グリップ及びそれを備えたゴルフパターを提供することにある。
【課題を解決するための手段】
【０００８】
（１）本発明は、「ゴムなどの弾性材料からなる棒状のグリップ本体の表面に被された吸水素材からなる表面材と、当該表面材の表面に部分的に存在するように固定された滑り止め材と、を備えたゴルフクラブ用グリップであって、
前記グリップ本体は、グリップエンド側の断面が大きく先端側に向けて断面が小さくなる形状を有しており、前記滑り止め材は、前記グリップ本体を握った際に親指が当たる上側の親指が当たる部分には存在せず、前記グリップ本体の側面部及び下側の部分にて、ドーム状又は半球面状に形成されて多数点在するものであり、
前記グリップ本体の側面部においては、点在する前記滑り止め材の間隔が、前記グリップ本体を握った際に、指が前記滑り止め材と前記表面材の両者に同時に触れる隙間部分が生じるように設定されており、
さらに、前記隙間部分は、前記グリップ本体の側面部において、当該グリップ本体の長手方向と一致しない斜め方向を向くように配置されており、かつ、当該配置は当該グリップ本体において左右対称となるゴルフクラブ用グリップ」を最も主要な特徴とするものである。
【０００９】
（２）本発明は、前記隙間部分が、前記グリップ本体の側面部において、当該グリップ本体の上側ほど当該グリップ本体の先端側を向く斜め方向に配置されているゴルフクラブ用グリップであってもよい。
（３）また、本発明は、前記グリップ本体の下側の部分においては、点在する前記滑り止め材の間隔が、前記グリップ本体を握った際に、指が前記表面材と触れることが無いように密集しているゴルフクラブ用グリップであってもよい。
（４）本発明は、「ゴムなどの弾性材料からなる棒状のグリップ本体の表面に被された吸水素材からなる表面材と、当該表面材の表面に部分的に存在するように固定された滑り止め材と、を備えたゴルフクラブ用グリップであって、
前記グリップ本体は、グリップエンド側の断面が大きく先端側に向けて断面が小さくなる形状を有しており、前記滑り止め材は、前記グリップ本体を握った際に親指が当たる上側の親指が当たる部分には存在せず、前記グリップ本体の側面部及び下側の部分にて、線状、網目状、格子状又は点状に形成されて存在するものであり、
前記グリップ本体の側面部においては、前記滑り止め材の間隔が、前記グリップ本体を握った際に、指が前記滑り止め材と前記表面材の両者に同時に触れる隙間部分が生じるように設定されており、
さらに、前記隙間部分は、前記グリップ本体の側面部において、当該グリップ本体の長手方向と一致しない斜め方向を向くように配置されており、かつ、当該配置は当該グリップ本体において左右対称となるものであることを特徴とするゴルフクラブ用グリップ」であってもよい。
【００１０】
（５）本発明は、前記滑り止め材が、透明なシリコン製であり、その厚さは約１ｍｍ程度であるゴルフクラブ用グリップであってもよい。
（６）本発明は、前記隙間部分が配置される方向が、前記グリップ本体の側面部において、当該グリップ本体の長手方向と為す角度が４０度〜８０度の範囲内となるように設定されているゴルフクラブ用グリップであってもよい。
（７）本発明は、前記滑り止め材が、楕円ドーム状に形成されて同一方向を向くように点在するものであるゴルフクラブ用グリップであってもよい。
（８）さらに、本発明は、前記（１）〜（７）のとおり構成したゴルフクラブ用グリップを備えたゴルフパターである。
【発明の効果】
【００１１】
（１）上記のように構成した本発明のゴルフクラブ用グリップにおいては、前記滑り止め材が、前記グリップ本体を握った際に特にストロークする際に重要となる親指が当たる部分には存在しないため、ゴルフクラブをスイングする際のゴルフプレーに集中することができる。
さらに、前記グリップ本体の側面部において、点在する前記滑り止め材の間隔が、前記グリップ本体を握った際に、指が前記滑り止め材と前記表面材の両者に同時に触れる隙間部分が生じるように設定されていることで、乾燥した状態における滑り止め材による手との密着作用のみならず、濡れた状態における表面材による吸水作用による滑り止め効果を発揮することができる。
【００１２】
さらに、グリップ本体のグリップエンド側が太く形成されていることで、より一層滑り止め効果を発揮するとともに、手によるホールド感を良好にすることができる。
また、前記隙間部分が、前記グリップ本体の側面部において、当該グリップ本体の長手方向と一致しない斜め方向を向くように配置され、かつ、当該配置が当該グリップ本体において左右対称となっていることで、滑り止め材と両手の指との係合摩擦力を左右のバランス良く高めることができる。
【００１３】
（２）さらに、本発明のゴルフクラブ用グリップにおいて、前記隙間部分が、前記グリップ本体の側面部において、当該グリップ本体の上側ほど当該グリップ本体の先端側を向く斜め方向に配置されている場合には、グリップを握った際に、滑り止め材が配置されている方向と指先の方向とが交差するため、滑り止め材と両手の指との係合摩擦力を効率良く最大限に得ることが可能となる。
【００１４】
（３）本発明のゴルフクラブ用グリップにおいて、前記グリップ本体の下側の部分においては、点在する前記滑り止め材の間隔が、前記グリップ本体を握った際に、指が前記表面材と触れることが無いように密集している場合には、グリップが乾いた状態での滑り止め効果を大きく得ることができ、かつ、凹凸感を感じ難い自然なフィット感を得ることができる。
（４）さらに、本発明のゴルフクラブ用グリップにおいて、滑り止め材が線状、網目状、格子状又は点状に形成されている場合においても、グリップ本体を握った際に、指が前記滑り止め材と前記表面材の両者に同時に触れる隙間部分が生じるように設定されていることで、乾燥した状態のみならず、濡れた状態であっても滑り止め効果を発揮することができる。
【００１５】
（５）本発明のゴルフクラブ用グリップにおいて、前記滑り止め材が、透明なシリコン製であり、その厚さが約１ｍｍ程度である場合には、表面材の表面に印刷された模様や文字を視認することができ、グリップの綺麗な外観デザインを維持することができ、かつ、グリップを握った際における凹凸感を抑制し、ゴルフのプレーに集中することもできる。
（６）本発明のゴルフクラブ用グリップにおいて、前記隙間部分が配置される方向が、前記グリップ本体の側面部において、当該グリップ本体の長手方向と為す角度が４０度〜８０度の範囲内となるように設定されている場合には、滑り止め材と両手の指との係合摩擦力を大きく得ることができる。
【００１６】
（７）本発明のゴルフクラブ用グリップにおいて、前記滑り止め材が、楕円ドーム状に形成されて同一方向を向くように点在するものである場合には、滑り止め材の頂部と手との接触面積を増大させ、両者の摩擦力を高めるとともに、凹凸感を感じ難い自然なフィット感を得ることができる。
（８）前記のとおり構成した本発明のゴルフクラブ用グリップを備えたゴルフパターにおいては、乾燥した状態のみならず、濡れた状態であっても滑り止め効果を発揮でき、かつ、手で握った際の優れたフィット感を得ることができるなどの効果を有し、集中力を乱されること無くパッティングを行うことができる。
【図面の簡単な説明】
【００１７】
【図１】図１は本発明を具体化した一実施形態のゴルフクラブ用グリップを備えたゴルフパターの正面図である。
【図２】図２は本発明を具体化した一実施形態のゴルフクラブ用グリップのグリップ本体の正面図及び表面材の平面図である。
【図３】図３は本発明を具体化した一実施形態のゴルフクラブ用グリップのグリップ本体の斜視図、グリップ本体の断面図、及び、上下の端部側から見た形状を示す図である。
【図４】図４（Ａ）は本発明の一実施形態のゴルフクラブ用グリップの滑り止め材の高さと形状を示す滑り止め材の断面図であり、図４（Ｂ）は、他の実施形態のゴルフクラブ用グリップの滑り止め材の形状を示す滑り止め材の断面図である。
【図５】図５（Ａ）〜（Ｄ）は本発明のゴルフクラブ用グリップの滑り止め材の他の実施形態を示す表面材の平面図である。
【発明を実施するための形態】
【００１８】
本発明は、「ゴムなどの弾性材料からなる棒状のグリップ本体の表面に被された吸水素材からなる表面材と、当該表面材の表面に部分的に存在するように固定された滑り止め材と、を備えたゴルフクラブ用グリップであって、
前記グリップ本体は、グリップエンド側の断面が大きく（太い）先端側に向けて断面が小さくなる（細くなる）形状を有しており、前記滑り止め材は、前記グリップ本体を握った際に親指が当たる上側の親指が当たる部分には存在せず、前記グリップ本体の側面部及び下側の部分（下面部）にて、ドーム状又は半球面状に形成されて多数点在するものであり、
前記グリップ本体の側面部においては、点在する前記滑り止め材の間隔が、前記グリップ本体を握った際に、指が前記滑り止め材と前記表面材の両者に同時に触れる隙間部分が生じるように設定されており、
さらに、前記隙間部分は、前記グリップ本体の側面部において、当該グリップ本体の長手方向と一致しない斜め方向を向くように配置されており、かつ、当該配置は当該グリップ本体において左右対称となるゴルフクラブ用グリップ、及び、それを備えたゴルフパター」であって、以下において説明する実施の形態などにより好適に具体化することができる。
【００１９】
以下、本発明のゴルフクラブ用グリップ、及び、それを備えたゴルフパターを具体化した一実施形態について説明する。
図１は本発明の一実施形態のゴルフクラブ用グリップＧを備えたゴルフパターＰを示しており、このゴルフクラブ用グリップＧは、ＥＶＡ又はゴムなどの弾性材料からなる芯材となる細長い棒状のグリップ本体１と、当該グリップ本体１の表面に被された吸水素材からなる表面材２と、当該表面材２の表面に点在する（部分的に存在する）ように固定された滑り止め材３と、を備えている（図２参照）。
そして、このゴルフクラブ用グリップＧは、下端部にパターヘッドが固定されたゴルフクラブシャフトＳの上端部側に嵌め込まれて当該ゴルフクラブシャフトＳに固定されるものである。
【００２０】
前記グリップ本体１は、滑り止め効果、ホールド感及び安定感を高めることができるように、グリップエンド側の断面が大きく、先端側に向けて断面が小さくなる形状を有している。
より詳細には、前記グリップ本体１は、グリップエンド部分の断面積が最大となるように太く形成されており、グリップ本体１の先端側に向けて、当該グリップ本体１のほぼ中央部付近まで、徐々に断面積が小さくなるように細くなる形状を有している。
そして、前記グリップ本体１の横方向断面において上面寄りの位置にて、当該グリップ本体１の長手方向に沿うように、前記ゴルフクラブシャフトＳを挿入できる穴１ａが形成されている（図２参照）。
【００２１】
また、前記グリップ本体１を握った際に親指が当たる上側の部分（上面部）は、平坦な状態になっている（図３参照）。さらに、前記グリップ本体１の左右の側面部は、平坦な部分が広く形成されており、前記グリップ本体１の下側の部分（下面部）は、略半円柱状の曲面形状に形成されている。
従って、この実施形態のグリップＧにおいては、フラットな面が多いため、クラブフェースの向きを合わせ易く、ターゲット（打球方向）に対してスクエアなアドレスをとり易いという効果を得ることができる。
【００２２】
この実施形態のゴルフクラブ用グリップＧにおいて、前記表面材２は、ある程度の吸水性を有するポリウレタン製のシートから構成されており、その表面には模様又は商品名などをカラーにて綺麗に印刷できるものである。
このポリウレタン製のシートは、汗や雨などの水分を吸収して滑り止めの効果を発揮できるものであるが、表面が乾燥していると却って滑り易い場合がある。
【００２３】
この実施形態のゴルフクラブ用グリップＧにおいて、前記滑り止め材３は、無色透明で柔らかく弾力性を有するシリコン（シリコーン樹脂又はシリコーンゴム）から構成されている。
この滑り止め材３は、前記ポリウレタン製のシート（表面材２）の表面にシリコンを印刷するように適用（シルク印刷）することで、簡単かつ迅速に規則正しく多数点在するように形成することができる。
なお、この滑り止め材３を表面材２の表面に配置し、固定する方法は、上記の方法に限られるものではなく、塗布したり、吹き付けるなどの方法であってもよい。
【００２４】
この実施形態のゴルフクラブ用グリップＧにおいて、前記滑り止め材３は、厚さが約１ｍｍ程度であることが好ましく、高さが０．５ｍｍ〜１．５ｍｍ程度のものであってもよい（図４（Ａ）参照）。
この実施形態のゴルフクラブ用グリップＧにおいては、点在する個々の前記滑り止め材３の全体形状が、楕円形の水平方向断面を有する楕円ドーム状に形成されている。そして、その長径は約３ｍｍ、短径は約２ｍｍ程度のものとしている。
さらに、この実施形態のゴルフクラブ用グリップＧにおいては、点在する個々の前記滑り止め材３は、長軸が同じ方向を向くように整列して形成されている。
【００２５】
この実施形態のゴルフクラブ用グリップＧにおいて、点在する個々の前記滑り止め材３の配置は、前記グリップ本体１の側面部において、点在する前記滑り止め材３の間隔が、前記グリップ本体１を握った際に、指が前記滑り止め材３と前記表面材２の両者に同時に触れる隙間部分４が生じるように設定されている。
具体的には、滑り止め材３の空白部分から構成される前記隙間部分４の幅が約３ｍｍ、長さが約２０ｍｍとなっており、これは、整列している前記滑り止め材３を、側面部の平坦な部分において、４〜６個分だけ連続して省略することで、形成することができる。
【００２６】
即ち、グリップＧの側面部において、前記隙間部分４が形成されている部分における滑り止め材３と表面材２の比率は、約２：１となり、この比率は、個々の滑り止め材３の形状や大きさ、整列する間隔などを適宜変更することで、約５：２〜約３：２程度の範囲で変更可能である（図２参照）。
上記の構成により、前記グリップ本体１を握った際に、当該グリップ本体１の側面部において、個々の指が滑り止め材３のみに触れたり、表面材２のみに触れるということを避けることができる。
【００２７】
さらに、前記隙間部分４は、前記グリップ本体１の側面部において、当該グリップ本体１の長手方向Ｌ１と一致しない斜め方向Ｌ２を向くように配置されており、かつ、当該配置は当該グリップ本体１において左右対称となるようにされている。
より詳細には、この実施形態のグリップ本体１において、前記隙間部分４は、グリップ本体１の側面部において、グリップ本体１の上側ほどグリップ本体１の先端側を向く斜め方向に配置されている
従って、滑り止め材３と両手の指との係合摩擦力を左右のバランス良く高めることができる。
【００２８】
図１に示すように、この実施形態のゴルフクラブ用グリップＧにおいて、前記グリップ本体１の長手方向Ｌ１と、前記隙間部分４の方向Ｌ２の為す角度θ１は、約５０度に設定されている。
また、この実施形態のゴルフクラブ用グリップＧにおいて、前記隙間部分４の方向Ｌ２と、両手の指（人差し指〜小指）の方向Ｌ３の為す角度θ２は、個人のプレースタイルや握り方により異なるが、図１に示す場合において、約５０度〜６０度程度となる。
【００２９】
上記のように、本発明のゴルフクラブ用グリップＧにおいて、前記隙間部分４が配置される方向が、グリップ本体１の側面部において、当該グリップ本体１の長手方向と為す角度θ１が４０度〜８０度の範囲内となるように設定されている場合には、滑り止め材３と両手の指との係合摩擦力を大きく得ることができる。
【００３０】
この実施形態のゴルフクラブ用グリップＧにおいて、個々の滑り止め材３の形状は、半球面状（半球状）のものであってもよく、図４（Ｂ）に示すように、頂部が尖った山形、頂部が平坦な山形、頂部に凹部が形成された山形であってもよい。
さらに、この実施形態のゴルフクラブ用グリップＧにおいて、個々の滑り止め材３の水平方向断面の形状（個々の滑り止め材３を真上から見た形状）は、他の形状、例えば、図５（Ａ）〜（Ｃ）に示すように、星形、菱形、線状のものなどであってもよく、これらの形状のものを適宜組み合わせて混在するようにして採用してもよい。
また、滑り止め材３の配置は、独立した個々の点状又は線状のものに限られるものではなく、図５（Ｄ）に示すように、互いに連続した網目状又は格子状であってもよい。
【００３１】
この実施形態のゴルフクラブ用グリップＧにおいて、前記グリップ本体１の下側の部分においては、点在する前記滑り止め材３の間隔が、グリップ本体１を握った際に、指が前記表面材２と触れることが無いように密集している。即ち、グリップ本体１の側面部に形成されているような隙間部分４は設けられていない。
従って、乾いた状態である場合が比較的多いグリップＧが、指と密着し、乾いた状態での滑り止め効果を大きく得ることができ、かつ、凹凸感を感じ難い自然なフィット感を得ることができる。
【００３２】
本発明のゴルフクラブ用グリップＧを製造する方法については、従来公知の製法にてグリップ本体１を成形し、表面材２を筒状に縫い付け、両面テープを用いるなどの方法にてグリップ本体１に表面材２を被せて貼り付けるようにすればよい。
上記のとおり製造した本発明のゴルフクラブ用グリップＧは、ゴルフクラブのシャフトＳをグリップ本体１の穴１ａに差し込み接着することで、本発明のゴルフクラブ用グリップＧを備えたゴルフパターＰなどのゴルフクラブを得ることができる。
【００３３】
本発明のゴルフクラブ用グリップは、上記実施形態に限定されるものではなく、前記角度θ１、角度θ２を適宜変更したり、滑り止め材３や隙間部分４の形成位置を適宜変更して実施してもよい。
例えば、前記実施形態のゴルフクラブ用グリップＧにおいては、上面側（上面部）にほとんど滑り止め材３を配置していないが、親指が当たることが想定されないグリップエンド付近においては、滑り止め材３を配置するようにして実施してもよい。
【００３４】
さらに、本発明は、その趣旨を逸脱しない範囲で、グリップ本体１、表面材２、滑り止め材３の各部の形状や材質などを適宜変更して実施してもよい。例えば、滑り止め材３の材料としてシリコンに着色したものを使用したり、不透明なシリコンを採用したり、ＥＶＡ又はゴムなどの手と密着し易い材料を採用してもよい。
また、本発明のゴルフクラブ用グリップは、ゴルフパターに採用して実施した場合において特に優れた効果を発揮するものであるが、上記実施形態に限定されるものではなく、本発明の趣旨を逸脱しない範囲で、他のアイアンクラブ、ウッドクラブの他に、ゴルフ練習用クラブ、ゲートボール用クラブ、グラウンドゴルフ用クラブ等のクラブに採用して実施してもよい。
【産業上の利用可能性】
【００３５】
本発明は、乾燥した状態でも濡れた状態でも滑り止め効果を発揮でき、手で握った際のフィット感に優れたゴルフクラブ用グリップ及びそれを備えたゴルフパターとして、より詳細には、アイアンクラブ、ウッドクラブの他に、ゴルフ練習用クラブ、ゲートボール用クラブ、グラウンドゴルフ用クラブ等のクラブについて使用するものとしても、産業上好適に利用可能である。
【符号の説明】
【００３６】
１    グリップ本体
１ａ  穴
２    表面材
３    滑り止め材
４    隙間部分
Ｇ    ゴルフクラブ用グリップ
Ｐ    ゴルフパター（ゴルフクラブ）
Ｓ    クラブシャフト
Ｌ１  グリップ本体の長手方向
Ｌ２  隙間部分の方向
Ｌ３  両手の指（人差し指〜小指）の方向
θ１  グリップ本体の長手方向Ｌ１と隙間部分の方向Ｌ２の為す角度
θ２  隙間部分の方向Ｌ２と両手の指（人差し指〜小指）の方向Ｌ３の為す角度
【図１】
2019097909.tif 000003
【図２】
2019097909.tif 000004
【図３】
2019097909.tif 000005
【図４】
2019097909.tif 000006
【図５】
2019097909.tif 000007